【事件の表示】
　国際登録第８９０３９８号に係る国際商標登録出願の拒絶査定に対する審判事件について、次のとおり審決する。
【結論】
　本件審判の請求は、成り立たない。
【理由】
第１　本願商標
　本願商標は、「ＡＫ７４」の欧文字及びアラビア数字を横書きしてなり、第２８類に属する日本国を指定する国際登録において指定された商品を指定商品として、２００６年（平成１８年）７月１１日に国際商標登録出願され、その後、指定商品については、原審における平成１８年９月２７日付け手続補正書により、第２８類「Ｇａｍｅｓ，ｔｏｙｓ，ｔｏｙ　ｐｉｓｔｏｌｓ，ｆｉｒｅａｒｍ　ｒｅｐｌｉｃａｓ　ａｎｄ　ｍｏｄｅｌｓ；ｓｐａｒｅ　ｐａｒｔｓ　ｆｏｒ　ｆｉｒｅａｒｍ　ｒｅｐｌｉｃａｓ　ａｎｄ　ｍｏｄｅｌｓ（ｅｘｃｌｕｄｉｎｇ　ｓｉｇｈｔｓ）；ｐｒｏｊｅｃｔｉｌｅｓ　ａｎｄ　ａｍｍｕｎｉｔｉｏｎ　ｆｏｒ　ｆｉｒｅａｒｍ　ｒｅｐｌｉｃａｓ　ａｎｄ　ｍｏｄｅｌｓ；ｆｉｒｅａｒｍ　ｒｅｐｌｉｃａｓ　ａｎｄ　ｍｏｄｅｌｓ　ｆｏｒ　ｖｉｒｔｕａｌ　ｓｈｏｏｔｉｎｇ　ａｎｄ　ｓｐａｒｅ　ｐａｒｔｓ　ｔｈｅｒｅｏｆ；ｆｉｒｅａｒｒｍ　ｒｅｐｌｉｃａｓ　ａｎｄ　ｍｏｄｅｌｓ　ｆｏｒ　ｕｓｅ　ｗｉｔｈ　ａ　ｔａｒｇｅｔ　ａｎｄ／ｏｒ　ａｎ　ｅｌｅｃｔｒｏｎｉｃ　ｄｉｓｐｌａｙ　ｄｅｖｉｃｅ　ａｓ　ｗｅｌｌ　ａｓ　ｓｐａｒｅ　ｐａｒｔｓ　ａｎｄ　ａｃｃｅｓｓｏｒｉｅｓ　ｆｏｒ　ｓｕｃｈ　ｉｔｅｍｓ．」と補正されたものである。
第２　原査定の拒絶の理由の要点
　原査定は、「本願商標は、『旧ソ連で製造された自動式ライフル銃『Ａｖｔｏｍａｔ　ｋａｌａｓｈｎｉｋｏｖ　１９７４』の略称である『ＡＫ７４』の文字を書してなるところ、本願指定商品中、例えば『ｔｏｙ　ｐｉｓｔｏｌｓ，ｆｉｒｅａｒｍ　ｒｅｐｌｉｃａｓ　ａｎｄ　ｍｏｄｅｌｓ；ｓｐａｒｅ　ｐａｒｔｓ　ｆｏｒ　ｆｉｒｅａｒｍ　ｒｅｐｌｉｃａｓ　ａｎｄ　ｍｏｄｅｌｓ（ｅｘｃｌｕｄｉｎｇ　ｓｉｇｈｔｓ）；ｐｒｏｊｅｃｔｉｌｅｓ　ａｎｄ　ａｍｍｕｎｉｔｉｏｎ　ｆｏｒ　ｆｉｒｅａｒｍ　ｒｅｐｌｉｃａｓ　ａｎｄ　ｍｏｄｅｌｓ；』には、実存する銃をモデルにしたおもちゃの銃（各種ピストル、リボルバー、ライフル、エアガン等）が製造されていることからすれば、これをその指定商品に使用しても、これに接する取引者、需要者は、商品の品質を表示するにすぎないものと認める。したがって、本願商標は、商標法第３条第１項第３号に該当し、前記商品以外の商品に使用するときは、商品の品質の誤認を生じさせるおそれがあるので、同法第４条第１項第１６号に該当する。」旨認定、判断し、本願を拒絶したものである。
第３　当審における証拠調べ通知（要旨）
　本件審判事件について、本願商標が商標法第３条第１項第３号及び同法第４条第１項第１６号に該当するか否かについて、当審において職権に基づく証拠調べをした結果、下記の事実を発見したので、商標法第５６条第１項で準用する特許法第１５０条第５項の規定に基づき、請求人に対し、平成２１年８月３１日付けで証拠調べの結果を通知した。
　　　記
　１　本願商標は、「ＡＫ７４」の欧文字及びアラビア数字を横書きしてなるものであるが、該文字及び数字に関して証拠調べを行ったところ、以下の事実が認められる。
　２　雑誌記事情報
　（１）「２００７年１０月に開催された全日本プラモデルラジコンショーで一般公開された次世代電動ガンＡＫ７４ＭＮ。・・・今回発売される東京マルイのＡＫ７４ＭＮは、既存品のＡＫ４７シリーズとは外部・内部ともにまったく互換性のない、完全新規製作品となっている。」との記載（トイガンダイジェスト２００８　９頁　２００７年１２月１８日　株式会社ホビージャパン発行）。
　（２）「次世代電動ガン第２弾はＡＫ７４のショートバージョンＡＫＳ７４Ｕだ！・・・新たな次世代電動ガンの登場が期待される中、２００８年度の静岡ホビーショーにおいてＡＫＳ７４Ｕが発表された。」との記載（トイガンダイジェスト２００９　２６頁　２００８年１２月１８日　株式会社ホビージャパン発行）。
　（３）「ＡＫ７４の特徴であるサイドにガスポートが開けられたマズルブレーキ。東京マルイは側面に明確な段差が設けられている１９７９年から１９８２年型を再現している。」との記載（アームズ・マガジン２月号４１頁　２００８年２月１日発行　株式会社ホビージャパン発行）。
　（４）「ＡＫｓｅｒｉｅｓ　リアルさと操作性を兼ね備えたＶＦＣリアルレプリカＡＫシリーズ。豊富なオプションパーツで貴方だけのＡＫを演出してください。」の文章、銃を模した図形の左部分にＡＫ−７４との記載（アームズ・マガジン７月号１８３頁　２００８年７月１日発行　株式会社ホビージャパン発行）。
　（５）「ＡＫトイガンラインアップ　次世代電動ガン　ＡＫ７４ＭＮ各部チェック　現在、２機種が発売されている次世代電動ガン、ＡＫ７４シリーズ。同じＡＫでも全く毛色が異なるこの２機種を、外部と内側からチェックしてみよう。」との記載（アームズ・マガジン１１月号３６頁　２００８年１１月１日発行　株式会社ホビージャパン発行）。
　（６）「ＲＵＳＳＩＡＮ　ＭＩＬＩＴＡＲＹ　ＴＯＫＹＯ　ＭＡＲＵＩ　ＡＫ７４ＭＮ　東側を代表するアサルトライフルと言えばＡＫシリーズにおいて他にはない。ＡＫシリーズの持つ類い希なる生産性の高さや堅牢さは東側世界を席巻し、今なおその姿を紛争地域をはじめとした世界中で見ることができる。このＡＫ７４ＭＮはＡＫ７４の近代化をさらに推し進めたモデルだ。」との記載（アームズ・マガジン５月号３５頁　２００９年５月１日発行　株式会社ホビージャパン発行）。
　３　インターネット検索情報
　（１）「武器庫」の見出しのもと、「これまで集めた、モデルガン、エアガンの一覧表です。」の記載とともに、「ライフル　電動・エアガン　ＡＫ−７４」、「ライフル　ガス・エアガン　ＡＫ−７４」、「ライフル　電動・エアガン　ＡＫ７４ＭＮ」及び「ライフル　電動・エアガン　ＡＫＳ７４Ｕ」との記載（ｈｔｔｐ：／／ｗｗｗ００５．ｕｐｐ．ｓｏ−ｎｅｔ．ｎｅ．ｊｐ／ｋａｒａｋｕｔｉ−ｃｉｎｅｍａ／ｐａｇｅ−ｂｕｋｉｋｏ．ｈｔｍｌ）。
　（２）「東京マルイ　電動ガン　ＡＫ７４ＭＮ【エアガンレビュー】」の見出しのもと、「実銃のＡＫ７４は小口径の５．４５×３９ｍｍライフル弾を使用するロシアのイズマッシュ社が製造するアサルトライフルだ。１９７４年にソビエト軍に採用され、スペツナズなどの特殊部隊でも使用されている。ＡＫ７４ＭＮはその最新型で、クーリングフィン付きの樹脂製ハンドガード、フォールディングストック、レシーバー左側面にサイドマウントベースを備えている。」との記載（ｈｔｔｐ：／／ｗｗｗ．ｈｙｐｅｒｄｏｕｒａｋｕ．ｃｏｍ／ａｉｒｇｕｎ／ａｋ７４ｍｎ／ｉｎｄｅｘ．ｈｔｍｌ）。
　（３）「【ＶＦＣ電動ガンＡＫ−７４について】ＶｅｇａＦｏｒｃｅＣｏｍｐａｎｙでは、ＡＫシリーズの完成度と実用性を吟味し、リアルでありながら安全な構造と軽量かつ頑丈な製品を目指しました。この度リリースとなるＡＫ−７４は、ＶＦＣの製品に対する情熱を形にしたエアソフトガンです。」との記載（ｈｔｔｐ：／／ｗｗｗ．ｇｂ−ｔｅｃｈ．ｊｐ／ＶＦＣ＿ＡＫ７４／ｉｎｄｅｘ．ｈｔｍｌ）。
　（４）「ＨＯＢＢＹ　ＳＥＡＲＣＨ」のウエブサイトにおいて、「ＡＫ−７４アサルトライフル（１８歳以上用）（エアガン）」として、「メーカー：マイクロエース（アリイ／有井製作所）」との記載（ｈｔｔｐ：／／ｗｗｗ．１９９９．ｃｏ．ｊｐ／１０００９０５８／１）。
　（５）「エアガン・海外パーツの専門店　ＨＯＮＧ　ＫＯＮＧ　ＭＡＮＩＡ」のウエブサイトにおいて、「人気エアガンパーツ　ＧＰ３６８　ＡＫ７４　１５０連　マガジン　ベークライト」との記載（ｈｔｔｐ：／／ｗｗｗ．ａｉｒｇｕｎｓｈｏｐ．ｊｐ／ｐｒｏｄｕｃｔｓ／ｄｅｔａｉｌ．ｐｈｐ？ｐｒｏｄｕｃｔ＿ｉｄ＝１５９８２）。
　（６）「ウーマンエキサイトオークション」のウエブサイトにおいて、「■遠州屋■次世代電動ガン【新型　ＡＫ７４シリーズ用　４８０連射マガジン】特価♪」との記載（ｈｔｔｐ：／／ａｕｃｔｉｏｎ．ｗｏｍａｎ．ｅｘｃｉｔｅ．ｃｏ．ｊｐ／ｐｉｔｅｍ／９７４０７２７５）。
　（７）「Ｗｅｂｌｉｏ」のウエブサイトにおいて、「【ＡＫ７４】（えーけーななじゅうよん）旧ソビエト、共産圏の主力自動小銃でＡＫＭの後継。１９７４年に正式採用され、東側では初の高速小口径５．４５ｍｍＸ３９弾を使用している。外見はＡＫＭとよく似ており、誤認しないようにストックに溝を彫ったりマズルサプレッサーを大きくした。マガジンはプラスチック製を採用しており、携帯マガジンの重量を減らしている。（ＡＫＭとマガジンを間違えないためと言う不確定情報有り）。更にＡＫＭと同様にＧＢ１５グレネードランチャー・銃剣・ダットサイト等を無加工で付ける事ができ、東側の自動小銃の中ではオプションパーツのバリエーションは多い。しかし、生産数は余り多くないと言う。国内ＡＫ７４系の主な種類　ＡＫ７４：ＡＫ４７の後継で弾薬も５．４５ｍｍＸ３９弾に変更した型、ＡＫＭと構造はほぼ同じ。なお、グレネードとしてＧＢ１５をつける事が出来る。ＡＫ７４Ｓ：ＡＫ７４の改良型、固定式木製ストックを折りたたみ式金属ストック（フォールディングストック）に変更した。ＡＫＳ７４Ｕ：ＡＫ７４の短縮型。フラッシュ・ハイダーを装備し前方がラッパ型、後方が筒型となっている。・・ＡＫＳ７４：ＡＫ７４の改良型、折り畳みのサイドスイング方式を採用している。ＡＫ７４Ｍ：ＡＫ７４の近代化改修型、木製パーツの部分がプラスチックの樹脂製に変わっている。他の部分については良く分かっていない。」との記載（ｈｔｔｐ：／／ｗｗｗ．ｗｅｂｌｉｏ．ｊｐ／ｃｏｎｔｅｎｔ／ａｋ７４）。
第４　証拠調べ通知に対する請求人の回答
　請求人は、前記第３の証拠調べ通知に対して、所定の期間内に何ら応答するところがない。
第５　当審の判断
　本願商標は、「ＡＫ７４」の文字及びアラビア数字を普通に用いられる態様で横書きしてなるところ、前記第３の証拠調べによれば、本願商標は、旧ソビエト軍が１９７４年に採用した自動小銃を表す語であり、かつ、遊技銃及びその部品・附属品を取扱う業界においては、該自動小銃を模した遊技銃及びその部品・附属品の名称として「ＡＫ７４」の語が使用され、さらに、「ＡＫ７４」の改良型として「ＡＫＳ７４」、「ＡＫＳ７４Ｕ」及び「ＡＫ７４Ｍ」等の名称が使用されているものである。
　してみれば、本願商標を、その指定商品中、「ＡＫ７４」を模した遊技銃及びその部品・附属品に使用するときは、これに接する取引者、需要者は、「ＡＫ７４」を模した遊技銃及びその部品・附属品であると容易に理解し、単に商品の品質・形状を表示したものと認識し、把握するにとどまるというべきであるから、自他商品の識別標識としての機能を有する商標とは認識し得ないものであり、かつ、前記商品以外の遊技銃及びその部品・附属品に使用するときは、商品の品質について誤認を生じさせるおそれがあるというべきである。
　したがって、本願商標は、商標法第３条第１項第３号及び同法第４条第１項第１６号に該当するとして、その出願を拒絶した原査定は、妥当であって取り消すことはできない。
　よって、結論のとおり審決する。